(57)【要約】金属音を含まない好適な音色で聞くことができるオルゴールである。機構部１１のベースフレーム１２を固定した底板１３に３本の筐体支持脚１５を設置する。機構部１１を囲む四周の外壁は外側板１６と内側板１７の二重構造とし、内側板１７の材質、板厚を変化させて筐体１０の重量および内部空間の容積を調整し、内側板１７の内面に適当な凹凸を加工する。そして、機構部１１の上部を覆う音響板２１を架設して筐体１０を構成する。
2002073591.tif 000002
【特許請求の範囲】
【請求項１】
振動板と、この振動板を弾いて音を発生させる駆動部を含む機構部と、前記振動板および機構部を収納して前記音の増幅に係わる筺体とからなるオルゴールであって、前記機構部のベースフレームを底板に固定し、前記機構部の四周を囲む外壁は外側板の内面に別部材の内側板を固着し、前記機構部の上面を音響板で覆って前記機構部全体を囲む筺体を形成し、前記底板に三本の筐体支持脚を取り付けたことを特徴とするオルゴール。
【請求項２】
前記音響板をスプルス材のような良く響く材料で形成したことを特徴とする請求の範囲第１項に記載のオルゴール。
【請求項３】
前記機構部のベースフレームは三か所で前記底板に固定されるとともに、前記三か所に設けたベースフレーム固定位置が前記底板を挟んで前記筐体支持脚と同じ位置となることを特徴とする請求の範囲第１項に記載のオルゴール。
【請求項４】
前記三か所に設けたベースフレーム固定位置の直下それぞれに前記筐体支持脚を一個ずつ締結部材で直結したことを特徴とする請求項３に記載のオルゴール。
【発明の詳細な説明】
技術分野
本発明はシリンダ式オルゴールを収容する筐体に係わり、振動弁が発生する音を最も効率よく外界に放出できるオルゴール筺体の構成に関する。
背景技術
従来のオルゴールは、宝石箱のように、開閉蓋を有する箱に収納され、蓋を開けてオルゴールから出る音色を聞くのが一般的である。さらに、塵埃からオルゴールを保護するため、あるいはオルゴールの機構を見せるために、通常はオルゴール機構部の上面は透明なガラスまたはプラスチック板で覆われている。
しかしながら、オルゴールの音を直接聞いたり、ガラスやプラスチックを通して聞いた場合、金属的な音色で乾いた硬い音に感じられる。オルゴールを囲む筺体は音を増幅させるが、筐体を構成する材質やサイズによって好みの音色を得ることは難しい。また、筺体の設置環境によっても音の伝達条件は異なり、オルゴールを内蔵した製品も外観デザイン上の制約から、音の振動を確実に伝達するのに適った形状構造とは言い難い。
発明の開示
そこで本発明の目的は、金属音を含まない好適な音色を聞くことができるオルゴールを提供することである。
上記の目的を達成するために、本発明に係わるオルゴールは、基本的には振動板と、この振動板を弾いて音を発生させる駆動部を含む機構部と、前記振動板および機構部を収納して前記音の増幅に係わる筺体とからなるオルゴールであって、前記機構部のベースフレームを底板に固定し、前記機構部の四周を囲む外壁は外側板の内面に別部材の内側板を固着し、前記機構部の上面を音響板で覆って前記機構部全体を囲む筺体を形成し、前記底板に三本の筐体支持脚を取り付けた。そして、前記音響板をバイオリン等に使用される木目の詰まったスプルス材のように良く響く材料で形成した。さらに、前記機構部のベースフレームは三か所で前記底板に固定されるとともに、前記三か所に設けたベースフレーム固定位置が前記底板を挟んで前記筐体支持脚と同じ位置となるようにした。
また、前記三か所に設けたベースフレーム固定位置の直下それぞれに前記筐体支持脚を一個ずつ締結部材で直結した。
このように、各支持脚に加わる荷重を平均化させて筺体の設置を安定させ、がたつきで生じる音の歪みやビビリ等の擾乱による夾雑音の混入を避け、外界への振動伝達が確実に行われるようにした。また、筺体の上面に音響板を設けることで、オルゴールの音をソフトで伸びのある音で聞くことができるようになる。そして、筺体の内側に外壁とは別の板を設けたので、外壁は外観デザインを重点課題として専用し、これと独立に内部空間の大きさや重量を変化させて、音質の変化だけを重点課題に専用化することが可能となる。
発明を実施するための最良の形態
以下に、本発明に係わるオルゴールの実施の形態を図面に基づいて説明する。
図１は本発明に係わるオルゴールの一実施例を断面で示した側面図である。図２は、図１のオルゴールを底面側から眺めた分解斜視図である。筐体１０内に設置した、オルゴール機構部１１のベースフレーム１２を筺体１０の底板１３に、締結部材のボルト１４三本で取り付ける。各ボルト１４は、ベースフレーム１２の三か所に螺設したネジ孔に、整合する底板１３の透孔を通して螺入するが、このとき、筺体支持脚１５を一緒に貫通して底板１３下面に一体に締結固定する（図２参照）。
なお、本実施の形態では、ボルト１４を用いて、オルゴール機構部１１のベースフレーム１２、底板１３、筐体支持脚１５を一体に締結固定したが、これに限るものではなく、ベースフレーム１２は、底板１３に確実に固定されていればよい。また、ベースフレーム１２は、三ヶ所で固定することに限定せずに、必要に応じて固定する個所を増加させてもよく、音が歪んだり、ビビリ音が入ったりすることがないのであれば、ベースフレーム全体を底板に接着固定するようにしてもよい。
筐体１０の四周を囲む外壁は外側板１６で構成され、その内面に内側板１７が一体に固着または密着される。底板１３は、下側から四本のボルト１８をそれぞれ内側板１７の下面に埋設した埋込ナット１７ａに螺入して内側板１７に締結固定される。筐体支持脚１５を三本としたことで、各支持脚に一定の圧力が掛かり、音が歪んだり、ビビリ音が入ったりすることがなくなる。支持脚を四本にすると設置面や筐体の状態によって、平面を安定に決定した三本の支持脚以外の残り一本の支持脚は、設置面から浮いた状態となって、加わる圧力が他の支持脚と異なるため、音が歪んだり、ビビリ音が入ったりする場合がある。
なお、三本の筐体支持脚１５の配置は図２に示すように、ほぼ三角形を形成するように設けられたものに限定されるものではなく、上記したように各支持脚に一定の圧力が掛かって音が歪んだり、ヒビリ音が入ったりすることがなくなるようになっていれば良い。
さらに、筐体支持脚の形状も、図２に示すように、直方体に限定されるものではなく、設置台１９への接地面積を小さくしてもよく、例えば、図５（Ａ）示すような半球状の支持脚２５、図５（Ｂ）に示すような先端部にＲ形状させた支持脚３５、図５（Ｃ）のような断面台形状した支持脚３５でも良く、接地面積をより小さくし点接触や線接触としても良い。
また、筐体支持脚を底板に取り付ける方法も、ネジによる締結固定に限るものではなく、例えば、図５（Ａ）のような接着剤を用いた固着でも良く、図５（Ｂ）に示すようなダボ３６を用いても良く、形状等もこれらに限定されることものでもない。
筺体支持脚１５は機構部１１のベースフレーム１２と強固に固定して、機構部１１の振動を直接設置台１９に伝え、設置台１９を構成する板面やボックス面をオルゴールの一部として振動させるのに好都合である。１１ｂは、底板１３に設けた発停ノブで、機構部１１の起動・停止を筐体外部から操作する。従来のオルゴールボックスでは、支持脚を直接機構部のベースフレームに結合することがなく、しかも、支持脚の端面にはフェルトやゴムなどを着設して振動が台板に伝わらないような構造が多く見られた。
さらに、筐体１０の天井板２０の内側で、内側板１７の上面に音響板２１が一体に固定される。図４に示すように、内側板１７の上面との間に空隙ｄを設けてもよい。内側板１７上面に好適な音響効果が得られる、例えばスプルス材のようなよく響く音響板２１を架設することによって、機構部１１の金属製の振動弁１１ａが出す音を、よりソフトにまた伸びのある音にすることができる。このために耳触りがよく心地好い音を聞くことができる。天井板２０には、音を放出するスリットを設けてもよい。従来のオルゴールボックスでは、振動弁の音を、直接またはガラスやプラスチックを通して聞くため、金属的な音や固い感じの音を聞いていた。
オルゴール機構部１１を外装する筺体１０の外壁を二重の板張りとして外側板１６とは別の内側板１７を固着または密着したことによって、音に影響する筺体１０の重量および内部空間２２の容積の大きさの調節が可能になる。内側板１７に使用する板材の種類によって密度が異なるので、同一重量でも内部空間２２の容積が異なってくる。従って、音質と密接な関わりをもつ筐体の重量と内部空間２２の容積を内側板１７の種類や板厚で調節することができる。従来の規格化されたオルゴールボックスで重量や内部空間の容積を調節することは不可能である。
次に、本発明に係わるオルゴールの作用について説明する。底板１３に固定されたオルゴールが鳴って、振動弁１１ａの振動が内側板１７および外側板１６を介して上面の音響板２１を振動させる。内側板１７の板厚により底板１３、音響板２１、外側板１６が形成する内部空間２２の容積の大きさが左右されるが、この容積の大きさを変えて、オルゴールの音色を変化させることが可能になる。
さらには、底板１３は締結しているボルト１８を外すと、底板１３は簡単に筺体１０から分離できるから、内側板１７の内面を彫刻刀２３で削って、ランダムな凹凸面２４を形成することでもオルゴールの音色を変化させることができ、さらにその凹凸面２４の付け方で微妙な変化が与えられるから、個人的にオプションとして好みの音質を創出することが可能となる（図３参照）。また、オルゴールの振動は、上記したように底板１３および筺体支持脚１５を介して、机やサイドボードなどの載置台１９に直接伝達されるから、その構造的効果を選択することによってさらに増幅された音色を楽しむことができる。
産業上の利用可能性
以上の説明で明らかなように、本発明に係わるオルゴールによれば、筺体のオルゴールのベースフレームを固定する底板を三本の支持脚で支持したことにより、各脚にはバランスよく圧力が加わるため、音の歪みやビビリの発生が解消できる。また、オルゴールの固定位置と支持脚の設置位置が同じ位置としたことにより、オルゴールの振動をより確実に設置台などの接触部材に伝達することが可能で、設置台を適当に選択することによって、音響部の一部に加えて助長された音の変化を楽しむことができる。
その上、筺体上面に音響板を架設したことによって、オルゴールの金属音をソフトでのびのある音にすることができる。さらには、内側に板を別設したことによって、音に影響する筺体の重量および内部空間の大きさが調整可能となる。
すなわち、外壁板の種類が違うと密度も異なるが、筺体のサイズを同一にしても、内側板の種類（密度）や板厚を調整することによって、最適な内部空間の調整が可能となる。このように本発明に係わるオルゴールの音質は固定されたものでなく、自由度のある個人的趣味の領域にまで拡張することができる。
【図面の簡単な説明】
第１図は本発明に係わるオルゴールの一実施例を一部断面で示した側面図であり、第２図は第１図の実施例を底面側からみた分解斜視図であり、第３図は本発明に係わるオルゴールの内側面をオプションで加工した態様を示す、底板を外して見た部分的斜視図であり、第４図は第１図の実施例の変形例の要部を示す図であり、第５図（Ａ）、（Ｂ）、（Ｃ）は本発明に係る支持脚の他の実施例を示した断面図及び側面図である。
【図１】
2002073591.tif 000003
【図２】
2002073591.tif 000004
【図３】
2002073591.tif 000005
【図４】
2002073591.tif 000006
【図５】
2002073591.tif 000007
【国際調査報告】
2002073591.tif 000008
2002073591.tif 000009
2002073591.tif 000010
2002073591.tif 000011